(57)【特許請求の範囲】
【請求項１】
既存斜面から適宜間隔離隔した暫定盛土構造体の予定位置に向って、控えシート材を敷設し、
同じく斜面から適宜間隔離隔して中詰材を詰めた透水性の袋状の拘束体を設置し、
前記控えシート材の端部を、拘束体の下側から暫定盛土構造体の表面側へ廻しかけ、
上側で既存斜面側へ折り返して伸ばし、
前記控えシート材の折り返し部分の上に盛土し、
前記暫定盛土構造体から適宜間隔離隔して補強盛土壁となる壁面材を配置し、
前記控えシート材の折り返し部分を取外して補強盛土壁側へ伸ばし、前記壁面材と連結し、
前記壁面材と暫定盛土構造体との間に盛土する
補強盛土工法。
【請求項２】
既存斜面から適宜間隔離隔した暫定盛土構造体の予定位置に向って、控えシート材を敷設し、
同じく斜面から適宜間隔離隔して中詰材を詰めた透水性の袋状の拘束体を設置し、
前記控えシート材の端部を、拘束体の下側から暫定盛土構造体の表面側へ廻しかけ、
上側で既存斜面側へ折り返して伸ばし、
前記控えシート材の折り返し部分の上に盛土する工程を繰り返して、所定の高さまで盛土をして安定させた後、
前記暫定盛土構造体から適宜間隔離隔して補強盛土壁となる壁面材を配置し、
前記控えシート材の折り返し部分を取外して補強盛土壁側へ伸ばし、前記壁面材と連結し、
前記壁面材と暫定盛土構造体との間に盛土する工程を繰り返す
補強盛土工法。
【請求項３】
拘束体として、樹脂繊維から成る方形箱形で大型の透水性の袋状部材を使用することを特徴とする請求項１又は２記載の補強盛土工法。
【請求項４】
控えシート材としてジオグリッドを使用したことを特徴とする請求項１乃至３のいずれか１項に記載の補強盛土工法。
【請求項５】
壁面材として、断面がＬ字形となるよう屈曲した鋼製網状材を使用したことを特徴とする請求項１乃至４のいずれか１項に記載の補強盛土工法。
【発明の詳細な説明】
【技術分野】
【０００１】
本発明は、斜面安定のために、既存斜面に沿って盛土壁を構築するする補強盛土工法に関するものであり、特に一旦、応急処置として暫定盛土構造体を構築し、その後に長期的構造物としての補強盛土壁を構築することも可能な補強盛土工法に関するものである。
【背景技術】
【０００２】
地震による被災で、道路下の斜面が崩れ落ち、道路が通行禁止になることがある。
道路の通行禁止は、近隣住民らに多大な影響を与えるため、出来るだけ早期に復旧することが望ましい。
崩落した斜面の早期の復旧を図るには、土嚢を使用して、積み上げた土嚢と崩落した斜面との間に盛土を施して、崩落斜面を補強する施工が採用可能である。
しかしながら、土嚢としての材料はポリプロピレンなどの合成樹脂を使用した織布が多く、この素材は天候による劣化が大きく、長期の補強壁としては適さない。
また、斜面の維持管理として雑草などの除去を行う際、斜面に生えた雑草に火を点けて焼き払うという手段が採用される場合もあり、その火力によって土嚢が著しく損傷するというようなことがあり、長期的な補強壁の表面に位置させるのは不適である。
【０００３】
他方、特開２００４−２１８２６３号公報に記載したような補強盛土工法が開発されている。
同公報に記載された補強盛土工法は、既存斜面から離れて断面Ｌ形の壁面材を設置し、この壁面材の背後に盛土を施し、順次盛土の上に壁面材の設置、盛土を繰り返して新たな盛土壁を構築するものである。
壁面材が盛土壁の表面に位置し、対候性は良好で、壁面も美観的に優れている補強盛土壁となる。
しかしながらこのような補強盛土工法の場合の課題は、多数の小型壁面材を人力によって設置するため、施工に手間がかかり、その施工期間が土嚢施工と比較して長期となることである。
したがって、このような壁面材を使用した補強盛土工法を早期の復旧工事に採用することは難しかった。
また、壁面材を所定の高さ毎に設置する必要があるため、降雨などで土工が止まると、壁面材の設置ができなかった。
更に、壁面材付近は小型の転圧機でしか締め固めができなかった。それによって壁面付近は転圧不足となることがあり、盛土完成後に盛土の変形によって、壁面に変形が生じることがあった。
【特許文献１】特開２００４−２１８２６３号公報
【発明の開示】
【発明が解決しようとする課題】
【０００４】
解決しようとする課題は、早期の復旧を可能とする暫定盛土構造体を構築することと、その後、長期的に安定化する補強盛土壁を構築可能な補強盛土工法を提供することである。
【課題を解決するための手段】
【０００５】
本発明にかかる補強盛土工法は、既存斜面から適宜間隔離隔した暫定盛土構造体の予定位置に向って、控えシート材を敷設し、
同じく斜面から適宜間隔離隔して中詰材を詰めた透水性の袋状の拘束体を設置し、
前記控えシート材の端部を、拘束体の下側から暫定盛土構造体の表面側へ廻しかけ、
上側で既存斜面側へ折り返して伸ばし、
前記控えシート材の折り返し部分の上に盛土し、
前記暫定盛土構造体から適宜間隔離隔して補強盛土壁となる壁面材を配置し、
前記控えシート材の折り返し部分を取外して補強盛土壁側へ伸ばし、前記壁面材と連結し、
前記壁面材と暫定補強斜面との間に盛土するものである。
また、本発明にかかる他の補強盛土工法は、暫定盛土構造体を所定高さまで盛土して暫定盛土構造体を構築し、
その後、前記暫定盛土構造体から適宜間隔離隔して補強盛土壁となる壁面材を配置し、
前記控えシート材の折り返し部分を取外して補強盛土壁側へ伸ばし、前記壁面材と連結し、
前記壁面材と暫定盛土構造体との間に盛土する工程を繰り返すものである。
また、本発明にかかる他の補強盛土工法は、拘束体として、樹脂繊維から成る方形箱形で大型の透水性の袋状部材を使用することを特徴とするものである。
また、本発明にかかる他の補強盛土工法は、控えシート材としてジオグリッドを使用したことを特徴とするものである。
更に、本発明にかかる他の補強盛土工法は、壁面材として、断面がＬ字形となるよう屈曲した鋼製網状材を使用したことを特徴とするものである。
【発明の効果】
【０００６】
本発明は以上のような構成を有し、次のうち少なくともいずれか一つの効果を達成するものである。
＜ａ＞中詰材を詰めた拘束体を使用して暫定盛土構造体を構築して、早急な斜面の復旧を可能としたため、応急施工として斜面を補強し、道路通行などの早期の復旧を可能とする。
＜ｂ＞暫定盛土構造体を所定高さまで構築してしまい、その後、壁面材と暫定盛土構造体との間に盛土する工程を繰り返すことで、より緊急性を要する施工に対応できる。
＜ｃ＞既存斜面から暫定盛土構造体の予定位置にかけて敷いた控えシートを、拘束体の下から暫定盛土構造体表側に廻しかけ、更に既存斜面側に折り返して盛土するため、控えシートが拘束体をアンカーのように定着して、拘束体が土圧を受けるため、強度の大きな暫定盛土構造体となる。
＜ｄ＞控えシート材を拘束体に廻しかけるため、拘束体の転倒防止、拘束体形状保持、盛土部分のすべり崩壊を抑制する効果を得ることができる。
＜ｅ＞控えシートの折り返し部分を取外し、補強盛土壁側へ伸ばして壁面材と連結するため、盛土と拘束体とが一体構造体となって壁面材を定着するため、強度の大きな補強盛土壁となる。
＜ｆ＞前記したように、切り離したシート部分は、壁面材との連結機能を果たすとともに、盛土の補強機能を果たす。また、盛土中に埋設して残置した部分は、暫定盛土構造体の盛土部分の滑り崩落の抑制機能を依然果たすことになる。
＜ｇ＞透水性を有する拘束体を使用するため、地山側からの水が拘束体を透過して、排出可能である。
＜ｈ＞大型の箱形の拘束体を使用するため、施工効率が良好で、自立安定性が高く、施工がやり易い。
＜ｉ＞袋状の拘束体内に予め土砂などの中詰材料を詰めておくことで、現場に運び込んで即施工に使用できる。
＜ｊ＞壁面近くまで充分な締め固めが可能であり、壁面の変形が生じ難い。
＜ｋ＞断面Ｌ字形の鋼製網状材の壁面材を使用することにより、植生も可能であって、対候性の高い、壁面として景観の良好な補強壁とすることができる。
【実施例１】
【０００７】
以下、図に示す実施例に基づき、本発明にかかる補強盛土工法を施工順に沿って、詳細に説明する。
＜１＞  控えシート材の設置
既存の斜面、例えば地震などで崩落して出来た斜面１から、地形に沿って控えシート材２を敷き、斜面１から離隔する方向へ伸ばす。
本願発明で既存斜面とは、地震などで出来た地山の斜面だけでなく、盛土して構築した斜面も含む。
控えシート材２としては、例えば、鋼製の芯材を通した合成樹脂製の網状シートであるジオグリッドなどが採用可能である。
【０００８】
＜２＞  拘束体の設置
斜面１から適宜間隔離隔した位置であって、控えシート材２の上に、土砂などの中詰材を詰めた透水性を有する拘束体３を設置する。
実施例では、拘束体３を二段に重ねる。
拘束体３は、例えばポリプロピレン樹脂繊維で形成してあり、図８に示すように、箱状に縫合してある。
箱状の拘束体３であるため、積み上げが容易で、崩れ落ちる可能性が少ない。
この拘束体３の中には、予め土砂などを詰めて保管しておくことで、緊急を要する災害時にも素早く施工に使用できる。
拘束体３の中に詰める中詰材は、土砂に限らず、それに固化材、発砲樹脂などの軽量気泡体などを混合して詰めることができる。
拘束体３の上部は、巾着絞りのようにして上部を封ずる。
この拘束体３が、応急施工する暫定盛土構造体４の表面側に位置することになる。
拘束体３は透水性を有するため、地山側の水を透過させ、盛土構造体４の外へ排出される。
【０００９】
＜３＞  盛土
拘束体３の背後、つまりは既存斜面１側に、盛土５を施す。
盛土５は、拘束体３の高さ一杯ではなく、例えば二段に積み上げた拘束体３の一段分の高さまで盛土５する。（図２）
盛土５の背後は、拘束体３ぎりぎりまで締め固めることが可能で、盛土５の変形が生じ難くなる。
【００１０】
＜４＞  控えシート材の折り返し
控えシート材２の端部であって、拘束体３の斜面１とは反対側に伸びた端部を拘束体３の下側から拘束体３、つまりは暫定盛土構造体４の表面側に、拘束体３を巻き込むように廻しかける。
続いて、前記控えシート材２の端部を、既存斜面１側へ折り返して伸ばす。
このように、控えシート材２を拘束体３に廻しかけることによって、拘束体３の転倒防止機能を発揮し、また、拘束体２の形状保持機能も発揮する。
【００１１】
＜５＞  盛土
前記した控えシート材２の折り返し部分の上に盛土５する。（図３）
その盛土５の上に、控えシート材２を敷き、拘束体３を積み上げる。
その後、控えシート材２を廻しかけ、折り返すのは前記と同じである。
控えシート材２は上下に重ねる盛土５の間に挟まれるため、盛土５の滑り面を遮断することになり、盛土５のすべり崩落を抑制する。
【００１２】
＜６＞作業の繰り返し
以上の作業を繰り返して、拘束体３を積み上げて、暫定盛土構造体４を完成する。
暫定盛土構造体４が出来上がることで、斜面の安定が確保されるため、例えば斜面４上の道路の通行が可能となる。
また、暫定盛土構造体４の表面側に拘束体３が位置しており、その拘束体３は控えシート材２のアンカー機能によって盛土５と一体化して土圧を受けるため、強度の大きな補強斜面４となる。
【００１３】
＜７＞補強盛土壁の構築
以上のように施工した暫定盛土構造体４の拘束体３に廻しかけた控えシート材２を、盛土５から露出した部分で切断するなどの手段によって取外し、暫定盛土構造体４から離隔する方向へ伸ばす。
この取り外した控えシート材２の取り外し端部２ａに、結束線などを使って壁面材６を連結する。（図５）
つまりは取り外し端部２ａが、壁面材６との連結機能を果たすとともに、後に述べる盛土７の補強機能を果たすことになる。（図６）
実施例では壁面材６として、図９に示すような、断面Ｌ字形のエキスパンドメタルから成る部材を使用しているが、その他平板状の壁面材６や、様々な従来の壁面材が使用可能である。
また、盛土５の中に残置した部分２ｂは、盛土５のすべり崩落の抑制効果を発揮する。（図６）
【００１４】
＜８＞盛土
壁面材６の背後、つまりは暫定盛土構造体４側に、壁面材６の高さ分盛土７を施す。
盛土７は控えシート材２の上に載り、その控えシート材２には、拘束体３や、その背後の盛土５の荷重も作用しているため、盛土５、拘束体３、盛土５、壁面材６が一体の構造物として機能し、強度の大きな補強盛土壁８となる。
【００１５】
＜９＞壁面材の積み上げ
盛土７の上に壁面材６を積み上げ、背後に控えシート材９を敷いて連結する。
その控えシート材９の上に盛土７を施す。
これを繰り返して所要高さまで補強盛土壁８を形成する。
【００１６】
＜１０＞作業の繰り返し
所要高さまで補強盛土壁８を形成した後、拘束体３に廻しかけていた控えシート材２を適宜位置で切断し、その端部を盛土７の上に敷く。
控えシート材２の端部に壁面材７を連結し、盛土７、壁面材の設置、盛土７を順次繰り返し、補強盛土壁８を完成する。（図７）
【実施例２】
【００１７】
以上の実施例では、拘束体３を複数個づつズラして設置したが、図１０に示すように、暫定補強斜面４の表面に、拘束体３を真っすぐに積み上げてもよい。
また、以上の実施例では、暫定盛土構造体４を所定高さまで構築した後、壁面材６を配して、構造体４との間に盛土７を繰り返したが、暫定盛土構造体４を一段、或いは数段構築し、順次壁面材６と構造体４との間に盛土７し、続いて暫定盛土構造体４を更に積み上げるような施工も可能である。
また、本発明にかかる補強盛土工法は、崩落した斜面に実施するだけでなく、平坦な地盤に盛土をして既存斜面とし、この既存斜面に対して実施することも可能である。
【図面の簡単な説明】
【００１８】
【図１】補強盛土工法の施工状態の斜視図
【図２】施工順序の断面図
【図３】施工順序の断面図
【図４】施工順序の断面図
【図５】施工順序の断面図
【図６】施工順序の断面図
【図７】施工順序の断面図
【図８】拘束体の斜視図
【図９】壁面材の斜視図
【図１０】他の実施例の断面図
【符号の説明】
【００１９】
１：既存斜面
２：控えシート材
３：拘束体
４：暫定盛土構造体
５：盛土
６：壁面材
７：盛土
８：補強盛土壁
９：控えシート材
【図１】
0005043750.tif 000002
【図２】
0005043750.tif 000003
【図３】
0005043750.tif 000004
【図４】
0005043750.tif 000005
【図５】
0005043750.tif 000006
【図６】
0005043750.tif 000007
【図７】
0005043750.tif 000008
【図８】
0005043750.tif 000009
【図９】
0005043750.tif 000010
【図１０】
0005043750.tif 000011